(57)【要約】【課題】  蓋開閉検知構造において、工数をかけることなく光電センサによって蓋開閉の誤検知を防止する。【解決手段】  支持部材１０の腕部１１に設けられた投光器１３から投光された光１５ａは、腕部１２に設けられた受光器１４によって受光されることにより蓋が開いた状態が検知される。蓋の開閉にともなって投光器１３と受光器１４との間を遮断または開放する遮光部材１６は、半透光部材によって形成された蓋に一体に設けられている。この遮光部材１６は、投光器１３と受光器１４との光軸方向に延設された遮光部１７と、この遮光部１７と直交するように一体に形成された光回り込み規制部１８Ａ，１８Ｂとによって構成されている。また、これら遮光部１７の厚みＷ１と、光回り込み規制部１８Ａ，１８Ｂの厚みＷ２，Ｗ３とは、同一の厚みに形成されている。【選択図】  図６
2008213371.tif 000002
【特許請求の範囲】
【請求項１】
一面に開口を有するケースと、このケースの開口を開閉する蓋とを備え、前記ケースに互いに対向する投光器と受光器とを設け、これら投光器と受光器との間を遮断または開放する遮光部材を前記蓋に一体に設けた蓋開閉検知構造であって、
前記蓋を半透光性を有するプラスチックによって形成し、前記遮光部材を、前記投光器と受光器との光軸方向に延設された遮光部とこの遮光部と直交するように一体に形成された光回り込み規制部とによって構成し、これら遮光部と光回り込み規制部とを同一の厚みに形成したことを特徴とする蓋開閉検知構造。
【請求項２】
前記光回り込み規制部を前記遮光部の両端部に互いに対向するように設けたことを特徴とする請求項１記載の蓋開閉検知構造。
【発明の詳細な説明】
【技術分野】
【０００１】
本発明は、ケースの開口を開閉する蓋を光電センサによって検知する蓋開閉検知構造に関するものである。
【背景技術】
【０００２】
従来の蓋開閉検知構造としては、一面に開口を有するケースと、このケースの開口を開閉する蓋とを備え、ケース側に互いに対向する投光器と受光器とを設け、これら投光器と受光器との間を遮断または開放する遮光部材を成形により蓋側に一体に設けたものがある（例えば、特許文献１参照）。
【特許文献１】特開２００６−２４００７１号公報
【発明の開示】
【発明が解決しようとする課題】
【０００３】
上述した従来の蓋開閉検知構造においては、意匠上の要請により蓋を白色や乳白色といった半透光性を有する部材によって形成した場合、投光器から投光された光が遮光部材によって完全に遮光されずに一部が通過することにより誤検知を起こすおそれがあった。そこで、遮光部材に不透光膜を形成することも考えられるが、膜を形成するための工数が増加するという不具合が起きる。
【０００４】
本発明は上記した従来の問題に鑑みなされたものであり、その目的とするところは、工数をかけることなく光電センサによる蓋開閉の誤検知を防止した蓋開閉検知構造を提供するところにある。
【課題を解決するための手段】
【０００５】
この目的を達成するために、請求項１に係る発明は、一面に開口を有するケースと、このケースの開口を開閉する蓋とを備え、前記ケースに互いに対向する投光器と受光器とを設け、これら投光器と受光器との間を遮断または開放する遮光部材を前記蓋に一体に設けた蓋開閉検知構造であって、前記蓋を半透光性を有するプラスチックによって形成し、前記遮光部材を、前記投光器と受光器との光軸方向に延設された遮光部とこの遮光部と直交するように一体に形成された光回り込み規制部とによって構成し、これら遮光部と光回り込み規制部とを同一の厚みに形成したものである。
【０００６】
請求項２に係る発明は、請求項１に係る発明において、前記遮光片を前記遮光部の両端部に互いに対向するように設けたものである。
【発明の効果】
【０００７】
請求項１に係る発明によれば、投光器から投光された光が遮光部材の遮光部を通過するときに確実に光量が低減されるとともに、遮光部材の光回り込み規制部によって投光器から投光された光が回り込んで受光器に受光されるようなことがない。このため、蓋によってケースの開口を閉じているにもかかわらず、開口が開放されているといった誤検知を防止することができる。また、遮光部材は蓋と一体に成形することができるから、製造コストが増加するようなこともない。
【０００８】
請求項２に係る発明によれば、一対の光回り込み規制部によって投光器から投光された光が回り込んで受光器に受光されることをより一層確実に防止することができる。
【発明を実施するための最良の形態】
【０００９】
以下、本発明の実施の形態を図に基づいて説明する。図１は本発明に係る蓋開閉検知構造を実施した筺体において蓋を開いた状態を示す側断面図、図２は同じく蓋によって閉じた状態を示す筺体の側断面図、図３は同じく要部を示す斜視図、図４（Ａ）は同じく要部の一部を破断して示す側面図、同図（Ｂ）は同じく一部を破断して示す平面図である。
【００１０】
図１において、全体を符号１で示す筺体は、上方に開口２を有する浅底状に形成されたロアーケース３と、このロアーケース３の開口２を開閉する蓋として機能し浅底状に形成されたアッパーケース４とによって構成されている。アッパーケース４は白色で半透光性を有するプラスチックによって形成されており、開口２を開閉するようにロアーケース３に立設した支持板５に設けた軸６を回動中心としてロアーケース３に回動自在に支持されている。ここで、半透光性を有するプラスチックとは、光の通過を完全に遮断するものでも光を完全に通過させるものでもなく、光の一部のみを通過させる白色や乳白色等の材料からなるプラスチックのことをいう。
【００１１】
７はロアーケース３に立設されたスタッド８に取り付けられたプリント配線板であって、開口２からロアーケース３の外部に臨んでおり、このプリント配線板７上には光電センサ９が搭載されている。光電センサ９は、図３に示すように断面コ字状に形成された支持部材１０と、この支持部材１０の互いに対向する腕部１１，１２に設けた孔１１ａ，１２ａに嵌合固定され互いに対向する投光器１３および受光器１４とを備えている。したがって、投光器１３から投光された光１５ａは受光器１４に受光される。
【００１２】
アッパーケース４の裏面には、図２に示すようにアッパーケース４によってロアーケース３の開口２を閉じたときに、支持部材１０の腕部１１，１２間に進入する遮光部材１６が一体に突設されている。したがって、この遮光部材１６はアッパーケース４と同様に白色で半透光性を有するプラスチックによって形成されている。
【００１３】
また、この遮光部材１６は、図３に示すように投光器１３と受光器１４との光軸１５ｂ方向に延設され扁平な直方体状に形成された遮光部１７と、この遮光部１７の投光器１３側の端部に遮光部１７の延設方向と直交するように一体に設けられ扁平な直方体状に形成された光回り込み規制部１８とによって構成されており、平面視でＴ字状に形成されている。遮光部１７の厚みＷ１と光回り込み規制部１８の厚みＷ２とは、アッパーケース４を金型で成形加工するときに、遮光部１７と光回り込み規制部１８とにひけが発生するようなことがないように同じ厚みに形成されている。このように、遮光部材１６をアッパーケース４と一体に成形することができるから、製造コストが増加するようなことがない。
【００１４】
この遮光部材１６は、アッパーケース４によってロアーケース３の開口２を閉じ、支持部材１０の腕部１１，１２間に進入したときに、光回り込み規制部１８が投光器１３と対向するとともに、遮光部１７が投光器１３と受光器１４との光軸１５ｂ上に位置付けられる。
【００１５】
次に、このように構成された蓋開閉検知構造において、蓋の開閉を検知する動作について説明する。アッパーケース４によってロアーケース３の開口２を閉じた図２に示す状態から、アッパーケース４を軸６を回動中心として図中時計方向に回動させることにより、図１に示すようにロアーケース３の開口２が開放される。このとき、アッパーケース４に一体に設けた遮光部材１６が、ロアーケース３側に設けた光電センサ９の投光器１３と受光器１４との間から退避するので、投光器１３から投光された光１５が受光器１４に受光され、ロアーケース３の開口２が開放されていることが検知される。
【００１６】
このアッパーケース４が開いた図１に示す状態から、軸６を回動中心としてアッパーケース４を図中反時計方向に回動させ、図２に示すようにロアーケース３の開口２をアッパーケース４によって閉じる。この状態で、遮光部材１６が投光器１３と受光器１４との間に進入し、遮光部材１６の光回り込み規制部１８が投光器１３に対向するとともに、遮光部１７が投光器１３と受光器１４との光軸上１５ｂに位置付けられる。
【００１７】
したがって、光回り込み規制部１８によって投光器１３から投光された光１５ａが回り込んで受光器１４に受光されるようなことがない。また、投光器１３から投光され直進する光１５ａは、遮光部１７が光軸１５ｂ方向に長さＬだけ延設されているため、光回り込み規制部１８を通過して遮光部１７を通過するときに光量が充分に低減される。したがって、受光器１４では、遮光部材１６によって投光器１３と受光器１４との間が遮断されていると判断する光量以下の光量のみを受光することになり、アッパーケース４によってロアーケース３の開口２を閉じた状態を確実に検知できる。このため、アッパーケース４によってロアーケース３の開口２を閉じているにもかかわらず、開口２が開放されているといった誤検知を防止することができる。
【００１８】
図５は本発明の第１の変形例を示し、同図（Ａ）は要部の一部を破断して示す側面図、同図（Ｂ）は同じく一部を破断して示す平面図である。この第１の変形例では、光回り込み規制部１８を遮光部１７の受光部１４側の端部に設けたものである。したがって、光回り込み規制部１８が受光器１４に対向するため、この光回り込み規制部１８によって投光器１３から投光された光１５ａが回り込んで受光器１４に受光されるようなことがない。このため、この第１の変形例においても、上述した第１の実施の形態と同様な作用効果が得られる。
【００１９】
図６および図７は本発明の第２の変形例を示し、図６は要部の斜視図、図７（Ａ）は要部の一部を破断して示す側面図、同図（Ｂ）は同じく一部を破断して示す平面図である。この第２の変形例では、光回り込み規制部１８Ａ，１８Ｂを遮光部１７の両端部に設け、平面視でＨ字状に形成したものである。これら遮光部１７の厚みＷ１と、光回り込み規制部１８Ａ，１８Ｂの厚みＷ２，Ｗ３とは、同一の厚みに形成されている。このように、光回り込み規制部１８Ａ，１８Ｂが投光器１３と受光器１４とのそれぞれに対向するため、これら光回り込み規制部１８Ａ，１８Ｂによって、投光器１３から投光された光１５ａが回り込んで受光器１４に受光されることをより一層確実に規制することができる。
【図面の簡単な説明】
【００２０】
【図１】本発明に係る蓋開閉検知構造を実施した筺体において、蓋を開いた状態を示す側断面図である。
【図２】本発明に係る蓋開閉検知構造を実施した筺体の蓋によって閉じた状態を示す筺体の側断面図である。
【図３】本発明に係る蓋開閉検知構造の要部を示す斜視図である。
【図４】本発明に係る蓋開閉検知構造において、同図（Ａ）は要部の一部を破断して示す側面図、同図（Ｂ）は同じく一部を破断して示す平面図である。
【図５】本発明の第１の変形例を示し、同図（Ａ）は要部の一部を破断して示す側面図、同図（Ｂ）は同じく平面図である。
【図６】本発明の第２の変形例の斜視図である。
【図７】本発明の第２の変形例を示し、同図（Ａ）は要部の一部を破断して示す側面図、同図（Ｂ）は同じく平面図である。
【符号の説明】
【００２１】
１…筺体、２…開口、３…ロアーケース、４…アッパーケース、９…光電センサ、１３…投光器、１４…受光器、１５ａ…光、１５ｂ…光軸、１６…遮光部材、１７…遮光部、１８，１８Ａ，１８Ｂ…光回り込み規制部。
【図１】
2008213371.tif 000003
【図２】
2008213371.tif 000004
【図３】
2008213371.tif 000005
【図４】
2008213371.tif 000006
【図５】
2008213371.tif 000007
【図６】
2008213371.tif 000008
【図７】
2008213371.tif 000009